【手続補正書】
【提出日】平成29年12月4日(2017.12.4)
【手続補正１】
【補正対象書類名】明細書
【補正対象項目名】０００８
【補正方法】変更
【補正の内容】
【０００８】
本願発明の画像投影システムは、情報処理装置と、画像を投影するための投影装置と、ユーザ情報に対応する情報処理装置を記憶する記憶手段を備えるサーバ装置とが通信可能に設けられた画像投影システムであって、前記投影装置を介してユーザ情報の入力を受け付ける入力受付手段と、前記ユーザ情報取得手段で取得したユーザ情報を用いて、当該ユーザ情報に対応する情報処理装置を前記記憶手段から特定する特定手段と、前記特定手段で特定された情報処理装置で記憶される画像を、前記投影装置に投影させるように制御する投影制御手段と、を有することを特徴とする。
【手続補正２】
【補正対象書類名】特許請求の範囲
【補正対象項目名】全文
【補正方法】変更
【補正の内容】
【特許請求の範囲】
【請求項１】
情報処理装置と、画像を投影するための投影装置と、ユーザ情報に対応する情報処理装置を記憶する記憶手段を備えるサーバ装置とが通信可能に設けられた画像投影システムであって、
前記投影装置を介してユーザ情報の入力を受け付ける入力受付手段と、
前記入力受付手段で入力を受け付けたユーザ情報を用いて、当該ユーザ情報に対応する情報処理装置を前記記憶手段から特定する特定手段と、
前記特定手段で特定された情報処理装置で記憶される画像を、前記投影装置で投影させるように制御する投影制御手段と、
を有することを特徴とする画像投影システム。
【請求項２】
前記入力受付手段は、前記投影装置に設けられたカードリーダを介して前記ユーザ情報の入力を受け付けることを特徴とする請求項１に記載の画像投影システム。
【請求項３】
前記入力受付手段は、前記投影装置に接続される入力手段を介して前記ユーザ情報の入力を受け付けることを特徴とする請求項１に記載の画像投影システム。
【請求項４】
前記ユーザ情報とは、前記情報処理装置にログインする際に用いるログインＩＤとパスワードとを少なくとも含むことを特徴とする請求項１乃至３のいずれか１項に記載の画像投影システム。
【請求項５】
前記特定手段が、前記ユーザ情報に対応する情報処理装置を複数特定した場合には、前記投影制御手段は、前記複数の情報処理装置のうち、最もログイン時刻が現在の時刻に近い情報処理装置に対して画像を投影するよう制御することを特徴とする請求項１乃至４のいずれか１項に記載の画像投影システム。
【請求項６】
前記画像投影システムは、
前記投影装置で画像の投影が行われている際に、ユーザの変更指示を受け付けるユーザ変更受付手段を更に有し、
前記ユーザ変更受付手段でユーザの変更指示を受け付けた場合には、前記入力受付手段は新たなユーザ情報の入力を受け付け、
前記投影制御手段は、画像を投影している投影装置に対応する情報処理装置に前記投影装置の画像の投影を停止するよう制御するとともに、前記特定手段で特定された新たなユーザ情報に対応する情報処理装置で記憶される画像を前記投影装置で投影させるように制御することを特徴とする請求項１乃至５のいずれか１項に記載の画像投影システム。
【請求項７】
前記画像投影システムは、
前記投影装置で画像の投影が行われている際に、当該投影の制御に用いられたユーザ情報と同じユーザ情報に対応する情報処理装置であって、前記投影装置と通信している第一の情報処理装置以外の第二の情報処理装置への変更を受け付ける処理装置変更受付手段を更に有し、
前記処理装置変更受付手段で情報処理装置の変更を受け付けた場合には、前記入力受付手段は、変更を受け付けた第一の情報処理装置に対応するユーザ情報の入力を受け付け、前記特定手段は、当該ユーザ情報に対応する第一の情報処理装置以外の第二の情報処理装置を特定し、前記投影制御手段は、前記第一の情報処理装置に対して前記投影装置への画像の投影を停止するよう制御するとともに、前記特定手段で特定された前記第二の情報処理装置で記憶される画像を、前記投影装置で投影させるように制御することを特徴とする請求項１乃至５のいずれか１項に記載の画像投影システム。
【請求項８】
情報処理装置と、画像を投影するための投影装置と、ユーザ情報に対応する情報処理装置を記憶する記憶手段を備えるサーバ装置とが通信可能に設けられた画像投影システムの制御方法であって、
前記投影装置を介してユーザ情報の入力を受け付ける入力受付工程と、
前記入力受付工程で受け付けたユーザ情報を用いて、当該ユーザ情報に対応する情報処理装置を前記記憶手段から特定する特定工程と、
前記特定工程で特定された情報処理装置で記憶される画像を、前記投影装置で投影させるように制御する投影制御工程と、
を有することを特徴とする制御方法。
【請求項９】
情報処理装置と、画像を投影するための投影装置と、ユーザ情報に対応する情報処理装置を記憶する記憶手段を備えるサーバ装置とが通信可能に設けられた画像投影システムに搭載可能なプログラムであって、
前記画像投影システムを、
前記投影装置を介してユーザ情報の入力を受け付ける入力受付手段と、
前記入力受付手段で受け付けたユーザ情報を用いて、当該ユーザ情報に対応する情報処理装置を前記記憶手段から特定する特定手段と、
前記特定手段で特定された情報処理装置で記憶される画像を、前記投影装置で投影させるように制御する投影制御手段、
として機能させることを特徴とするプログラム。
【請求項１０】
情報処理装置と画像を投影するための投影装置と通信可能な、ユーザ情報に対応する情報処理装置を記憶する記憶手段を備えるサーバ装置であって、
前記投影装置を介してユーザ情報の入力を受け付ける入力受付手段と、
前記入力受付手段で入力を受け付けたユーザ情報を用いて、当該ユーザ情報に対応する情報処理装置を前記記憶手段から特定する特定手段と、
前記特定手段で特定された情報処理装置で記憶される画像を、前記投影装置で投影させるように制御する投影制御手段と、
を有することを特徴とするサーバ装置。
【請求項１１】
情報処理装置と画像を投影するための投影装置と通信可能な、ユーザ情報に対応する情報処理装置を記憶する記憶手段を備えるサーバ装置の制御方法であって、
前記投影装置を介してユーザ情報の入力を受け付ける入力受付工程と、
前記入力受付工程で入力を受け付けたユーザ情報を用いて、当該ユーザ情報に対応する情報処理装置を前記記憶手段から特定する特定工程と、
前記特定工程で特定された情報処理装置で記憶される画像を、前記投影装置で投影させるように制御する投影制御工程と、
を有することを特徴とする制御方法。
【請求項１２】
情報処理装置と画像を投影するための投影装置と通信可能な、ユーザ情報に対応する情報処理装置を記憶する記憶手段を備えるサーバ装置に搭載可能なプログラムであって、
前記サーバ装置を、
前記投影装置を介してユーザ情報の入力を受け付ける入力受付手段と、
前記入力受付手段で入力を受け付けたユーザ情報を用いて、当該ユーザ情報に対応する情報処理装置を前記記憶手段から特定する特定手段と、
前記特定手段で特定された情報処理装置で記憶される画像を、前記投影装置で投影させるように制御する投影制御手段、
として機能させることを特徴とするプログラム。
【請求項１３】
情報処理装置とユーザ情報に対応する情報処理装置を記憶する記憶手段を備えるサーバ装置と通信可能な投影装置であって、
ユーザ情報の入力を受け付ける入力受付手段と、
前記入力受付手段で入力を受け付けたユーザ情報を用いて、当該ユーザ情報に対応する情報処理装置を前記記憶手段から特定する特定手段と、
前記特定手段で特定された情報処理装置で記憶される画像を投影する投影手段と、
を有することを特徴とする投影装置。
【請求項１４】
情報処理装置とユーザ情報に対応する情報処理装置を記憶する記憶手段を備えるサーバ装置と通信可能な投影装置の制御方法であって、
ユーザ情報の入力を受け付ける入力受付工程と、
前記入力受付工程で入力を受け付けたユーザ情報を用いて、当該ユーザ情報に対応する情報処理装置を前記記憶手段から特定する特定工程と、
前記特定工程で特定された情報処理装置で記憶される画像を投影する投影工程と、
を有することを特徴とする投影装置の制御方法。
【請求項１５】
情報処理装置とユーザ情報に対応する情報処理装置を記憶する記憶手段を備えるサーバ装置と通信可能な投影装置に搭載可能なプログラムであって、
前記投影装置を、
ユーザ情報の入力を受け付ける入力受付手段と、
前記入力受付手段で入力を受け付けたユーザ情報を用いて、当該ユーザ情報に対応する情報処理装置を前記記憶手段から特定する特定手段と、
前記特定手段で特定された情報処理装置で記憶される画像を投影する投影手段、
として機能させることを特徴とするプログラム。